(57)【要約】【課題】  マイク部と把持部を選択して容易にカバーを取り付けることができるマイクロフォン用カバーを提供することを目的とする。さらに、歌唱時における唾や吐息が周囲に拡散することを低減することができるマイクロフォン用カバーをも提供する。【解決手段】  本発明にかかるマイクロフォン用カバー１００は、マイク部１１と把持部１５とを備えたマイクロフォン１０に取り付けられるマイクロフォン用カバー１００において、前記マイク部１１に嵌合するように取付可能に形成されたマイク部カバー２０と、前記把持部１５に対して底面側から挿入することによって嵌合するように取付可能に形成された把持部カバー３０と、を備えていることを特徴とする。【選択図】図１
2022003771.tif 000002
【特許請求の範囲】
【請求項１】
マイク部と把持部とを備えたマイクロフォンに取り付けられるマイクロフォン用カバーにおいて、
前記把持部に対して底面側から挿入することによって嵌合するように取付可能に形成された把持部カバーと、
を備えていることを特徴とするマイクロフォン用カバー。
【請求項２】
マイク部と把持部とを備えたマイクロフォンに取り付けられるマイクロフォン用カバーにおいて、
中心に前記把持部を挿入可能な把持部貫通孔が設けられ、前記把持部貫通孔には、前記把持部の表面を押圧する複数の押圧部と前記押圧部の両側に設けられた複数の切欠部とを備え、前記把持部に対して底面側から挿入することによって嵌合するように取付可能に形成された飛散防止部材と、
を備えていることを特徴とするマイクロフォン用カバー。
【請求項３】
前記マイク部に嵌合するように取付可能に形成されたマイク部カバーを備えていることを特徴とする請求項１又は２に記載のマイクロフォン用カバー。
【請求項４】
前記マイク部カバーは、前記マイク部の外周に設けられたリング状の凸状連結部に嵌合していることを特徴とする請求項３に記載のマイクロフォン用カバー。
【請求項５】
前記マイク部カバーの内面側には、交換可能なフィルター部材が設けられていることを特徴とする請求項３又は４に記載のマイクロフォン用カバー。
【請求項６】
前記把持部カバーは、プラスチックで作製されており、スイッチ部は貫通孔が設けられていることを特徴とする請求項１に記載のマイクロフォン用カバー。
【請求項７】
前記把持部カバーは、外周側へ延設された飛散防止部を備えていることを特徴とする請求項１に記載のマイクロフォン用カバー。
【請求項８】
請求項１から７のいずれか１項に記載のマイクロフォン用カバーにおいて、
前記把持部に取り付けることができる外周側へ延設された飛散防止部材を備えていることを特徴とするマイクロフォン用カバー。
【請求項９】
前記把持部カバーは、柔軟な素材で作製されており、前記マイク部カバーを覆うことができるようにマイク部カバー用被覆部を有していることを特徴とする請求項３から８に記載のマイクロフォン用カバー。
【発明の詳細な説明】
【技術分野】
【０００１】
本発明は、カラオケ等で使用されているマイクロフォンのように、不特定多数の人で交代で使用されるマイクロフォンのマイクロフォン用カバーに関する。
【背景技術】
【０００２】
カラオケ等のマイクロフォンは、多数の人間が交代で同一のマイクロフォンを使用することから、マイクロフォンには、使用者の唾や吐息が飛散するため、衛生的に問題がある。また、ウイルスや細菌による感染が流行している場合には、マイク部のみならず把持部を複数の人間が持つことから、この把持部を介して感染が拡大する可能性がある。そこで、把持部においても、多数の人間が接触することを防止する必要がある。
【０００３】
かかる問題点を解決するためになされたものとして、マイクロフォンカバー全体に柔軟性の素材を使用して袋状にし、装着時又は取り外す際に、変形させてマイクロフォン本体に着脱可能としたマイクロフォンカバーが提案されている（特許文献１）。
【０００４】
しかしながら、かかるマイクロフォンカバーは、スライドファスナーや面ファスナーを取り付けて開閉を行う構成としていることから、着脱に時間がかかり、非常に面倒であるという問題点があった。
【先行技術文献】
【特許文献】
【０００５】
【特許文献１】特開平７−１１１６９０号公報
【発明の概要】
【発明が解決しようとする課題】
【０００６】
そこで、本発明は上記課題を鑑みてなされたものであり、必要に応じてマイク部と把持部を選択して容易にカバーを取り付けることができるマイクロフォン用カバーを提供することを目的とする。さらに、歌唱時における唾や吐息が周囲に拡散することを低減することができるマイクロフォン用カバーをも提供することを目的とする。
【課題を解決するための手段】
【０００７】
本発明は、上述の主目的を達成するために以下の手段を採った。
【０００８】
本発明にかかるマイクロフォン用カバーは、
マイク部と把持部とを備えたマイクロフォンに取り付けられるマイクロフォン用カバーにおいて、
前記把持部に対して底面側から挿入することによって嵌合するように取付可能に形成された把持部カバーと、
を備えていることを特徴とする。
【０００９】
かかる構成を採用することによって、把持部に対して直接触れることなくマイクを持つことができ、把持部カバーを交換するだけで衛生的なマイクロフォンを提供することができる。
【００１０】
また、本発明にかかるマイクロフォン用カバーは、
マイク部と把持部とを備えたマイクロフォンに取り付けられるマイクロフォン用カバーにおいて、
中心に把持部を挿入可能な把持部貫通孔が設けられ、前記把持部貫通孔には、把持部の表面を押圧する複数の押圧部と押圧部の両側に設けられた複数の切欠部とを備え、前記把持部に対して底面側から挿入することによって嵌合するように取付可能に形成された飛散防止部材と、を備えていることを特徴とするものであってもよい。
【００１１】
本発明に係るマイクロフォン用カバーによれば、把持部の表面を押圧する複数の押圧部を有するので、差し込むだけで把持部に対して取付けることができ、飛散防止部材をマイクロフォンに取付けることができる。
【００１２】
さらに、本発明にかかるマイクロフォン用カバーにおいて、前記マイク部に嵌合するように取付可能に形成されたマイク部カバーを備えていることを特徴とするものであってもよい。
【００１３】
本発明にかかるマイクロフォン用カバーによれば、マイク部カバーと把持部カバーをそれぞれマイク部及び把持部に嵌合するだけで取り付けることができる。そのため迅速かつ容易にマイク部と把持部の両方にカバーを設けることができ、マイク部及び把持部の両方が衛生的なマイクロフォンを提供することができる。
【００１４】
また、本発明にかかるマイクロフォン用カバーにおいて、前記マイク部カバーは、マイク部の外周に設けられたリング状の凸状連結部に嵌合していることを特徴とするものであってもよい。
【００１５】
かかる構成を採用することによって、マイク部カバーをマイク部の風防ネットに接触することなく取り付けることができるので、衛生的に優れたマイクロフォン用カバーとすることができる。
【００１６】
さらに、本発明にかかるマイクロフォン用カバーにおいて、前記マイク部カバーの内面側には、交換可能なフィルター部材が設けられていることを特徴とするものであってもよい。
【００１７】
かかる構成を採用することによって、マイク部の風防ネットがマイク部カバーに直接接触することを防止することができ、またマイク部カバーの孔から唾や吐息が風防ネットに到達することを低減することができる。そのため、衛生的に優れたマイクロフォン用カバーとすることができる。
【００１８】
さらに、本発明にかかるマイクロフォン用カバーにおいて、
前記把持部カバーは、プラスチックで作製されており、スイッチ部は貫通孔が設けられていることを特徴とするものであってもよい。
【００１９】
かかる構成を採用することによって、把持部カバーを取り付けた状態であってもスイッチを操作することができる。
【００２０】
さらに、本発明にかかるマイクロフォン用カバーにおいて、
前記把持部カバーは、外周側へ延設された飛散防止部を備えていることを特徴とするものであってもよい。
【００２１】
かかる構成を採用することによって、歌唱時における唾や吐息の飛沫を低減することができる。
【００２２】
さらに、本発明にかかるマイクロフォン用カバーにおいて、
前記把持部に取り付けることができる外周側へ延設された飛散防止部材を備えているものであってもよい。
【００２３】
本構成によっても歌唱時における唾や吐息の飛沫を防止することができる。
【００２４】
さらに、本発明にかかるマイクロフォン用カバーにおいて、
前記把持部カバーは、柔軟な素材で作製されており、前記マイク部カバーを覆うことができるようにマイク部カバー用被覆部を有していることを特徴とするものであってもよい。
【００２５】
かかる構成を採用することによって、把持部カバーが柔軟な素材で作製されるので、持ち心地のよいマイクロフォン用カバーとすることができる。
【図面の簡単な説明】
【００２６】
【図１】図１は、第１実施形態にかかるマイクロフォン用カバー１００の説明図である。
【図２】図２Ａは、第１実施形態にかかるマイクロフォン用カバー１００のマイク部カバー２０を示す平面図であり、図２Ｂは正面図である。
【図３】図３は、第１実施形態にかかるマイクロフォン用カバー１００の使用方法を示す正面図である。
【図４】図４は、第２実施形態にかかるマイクロフォン用カバー１００の説明図である。
【図５】図５は、第３実施形態にかかるマイクロフォン用カバー１００の説明図である。
【図６】図６は、第３実施形態にかかる飛散防止部材４０の斜視図である。
【図７】図７は、第３実施形態にかかる飛散防止部材４０の別実施形態を示す図である。
【図８】図８は、第４実施形態にかかるマイクロフォン用カバー１００の説明図である。
【発明を実施するための形態】
【００２７】
（第１実施形態）
以下、本発明にかかるマイクロフォン用カバー１００について、図面に沿って詳細に説明する。図１は、第１実施形態にかかるマイクロフォン用カバー１００の説明図である。
【００２８】
本発明にかかるマイクロフォン用カバー１００が使用されるマイクロフォン１０は、図１に示すように、歌唱時の音を集音するマイク部１１と、人間が持つ部分である把持部１５を備えている。マイク部１１は、金属で編まれた風防ネット１２で略球状に形成されている。風防ネット１２は、一般的には、軸方向上下に分割されており、マイク部１１の外周に設けられたリング状の凸状連結部１３で上下の風防ネットを連結して形成されている。把持部１５は、マイク部１１に連結されており、人間が持ちやすいように棒状に形成されている。把持部１５の側面には、マイクのスイッチ部１６が設けられている。
【００２９】
本発明にかかるマイクロフォン用カバー１００は、図１に示すように、主として、マイク部１１をカバーするマイク部カバー２０と、把持部１５をカバーする把持部カバー３０と、を備えている。
【００３０】
マイク部カバー２０は、図２に示すように、プラスチックで作製されており、マイク部１１の風防ネット１２を覆う半球状に形成された半球部２１と、リング状の凸状連結部１３に嵌合してはめ込むことができる嵌合部２２とを備えている。半球部２１は、音を集音することが可能なように、複数の貫通孔２１ａ（図２Ｂは貫通孔２１ａが省略されている。）が形成されており、図１に示すように、風防ネット１２に対して接触することがないようにわずかに隙間があくように作製される。これにより、マイク部カバー２０に付着した唾等が風防ネット１２に移ることを低減することができ、風防ネット１２の清潔性を持続させることができる。また半球部２１の内面には、フィルター部材が交換可能に取り付けられるようにされている。これにより、マイク部１１の風防ネット１２がマイク部カバー２０に直接接触することを防止することができ、また、唾や吐息がマイク部カバー２０の貫通孔２１ａから風防ネット１２に到達することを低減することができる。嵌合部２２は、凸状連結部１３の外周に対して一部又は全部が接触するように嵌合される外周枠で形成されており、この外周枠がわずかに凸状連結部１３の外周より小さい内周を有することによって、図３に示すように、凸状連結部１３に嵌合させることで、摩擦によって固定することができる。そのためマイク部カバー２０は、マイク部１１に被せるという動作のみでマイク部１１に取り付けることができ、迅速かつ容易に取り付けることができる。本実施形態においては、図３のＡ−Ａ断面図に示すように、凸状連結部１３として、外周に凸部１３ａが設けられているものを使用しており、この凸部１３ａと嵌合部２２が摩擦によって固定できるように形成されている。
【００３１】
把持部カバー３０は、図１に示すように、マイクロフォン１０の把持部１５の外周面と同一又は外周面に対してわずかに小さい内周面を有する筒状の部材に形成されている。したがって、把持部カバー３０の開口３１に対して把持部１５の底面側を挿入するという動作のみで把持部１５に把持部カバー３０を取り付けることができる。把持部カバー３０には、マイクのスイッチ部１６に相当する部位に貫通孔３２が設けられており、把持部カバー３０を取り付けた状態でマイクのスイッチ部１６を操作することができる。
【００３２】
以上のようにして作製されたマイクロフォン用カバー１００によれば、マイク部カバー２０及び把持部カバー３０のいずれもそれぞれマイク部１１及び把持部１５に嵌合するという動作のみで取り付けることができるので、着脱が迅速かつ容易に行うことができる。また、マイク部カバー２０と把持部カバー３０とが別個独立に作製されているので、例えば、マイク部カバー２０は、カラオケ店等の店側が用意し、把持部カバー３０のみを客が自分専用として所有することによって、把持部カバー３０のみを交換して使用したりすることができる。
【００３３】
（第２実施形態）
第２実施形態にかかるマイクロフォン用カバー１００が図４に示されている。第２実施形態にかかるマイクロフォン用カバー１００のマイク部カバー２０は、第１実施形態と同様であるので、説明を省略する。
【００３４】
第２実施形態にかかる把持部カバー３０も筒状の部分は第１実施形態と同様に把持部１５の外周に対してわずかに小さい内周面を有する筒状の部材に形成されており、把持部カバー３０の開口３１に対して把持部１５を挿入するという動作のみで把持部１５に把持部カバー３０を取り付けることができる。第２実施形態においては、把持部カバー３０の開口３１から外周放射方向に延設して形成された傘状又はパラボナアンテナ状の飛散防止部３３を有する。飛散防止部３３は、凹面がマイク部１１側となるように形成されている。このような飛散防止部３３を設けることによって、歌唱時に唾や吐息が周囲に撒き散らされることを低減することができる。なお、第２実施形態においては、飛散防止部３３は、花びら状に形成しているが、これに限定するものではなく、単なる円形であってもよい。
【００３５】
（第３実施形態）
第３実施形態にかかるマイクロフォン用カバー１００が図５に示されている。第３実施形態にかかるマイクロフォン用カバー１００のマイク部カバー２０及び把持部カバー３０は、第１実施形態と同様であるので、説明を省略する。
【００３６】
第３実施形態においては、周囲に延出されて、歌唱時における唾や吐息の拡散を防止する飛散防止部材４０が設けられている。図５においては、傘状又はパラボナアンテナ状の飛散防止部材４０が記載されている。飛散防止部材４０は、図５に示すように、傘状又はパラボナアンテナ状の凹面に形成されており、中心に把持部１５を挿入可能な把持部貫通孔４１が設けられている。把持部貫通孔４１には、図６に示すように、把持部１５の表面を押圧する複数の押圧部４１ａと押圧部４１ａの両側に設けられた複数の切欠部４１ｂとを備えている。切欠部４１ｂがあることによって押圧部４１ａを把持部１５に差し込んだ場合に、把持部１５によって押圧部４１ａが外周側に押し出され、反発力によって押圧部４１ａが把持部１５を押圧することで把持部１５に確実に固定することができる。このように飛散防止部材４０を設けることによって、歌唱時に唾や吐息が周囲に撒き散らされることを低減することができる。
【００３７】
なお、第３実施形態において、図７に示すように、飛散防止部材４０のみで使用することが可能であり。また、この場合に、飛散防止部材４０は、花びら状に限定されることなく、図７に示すように、四角形や単なる円形に形成してもよい。
【００３８】
（第４実施形態）
第４実施形態にかかるマイクロフォン用カバー１００が図８に示されている。第４実施形態にかかるマイクロフォン用カバー１００のマイク部カバー２０は、第１実施形態と同様であるので説明を省略する。
【００３９】
第４実施形態にかかるマイクロフォン用カバー１００は、把持部カバー３０が布、ニット等の柔軟な素材で作製されている。把持部カバー３０は、マイク部カバー２０を覆うことができるようにマイク部カバー用被覆部３５を有している。マイク部カバー用被覆部３５は、把持部カバー３０の開口部３６の一部と連結されており、把持部カバー３０を把持部１５に挿入した後に、マイク部カバー２０をマイク部１１に取り付けることによって、マイク部カバー２０の外周面にマイク部カバー用被覆部３５が形成されることになる。そのため、マイク部カバー２０が汚れることを防止することができる。
【産業上の利用可能性】
【００４０】
上述した実施の形態で示すように、カラオケ等のように複数の人間が使用するマイクに対して衛生的な使用方法を提供することができるマイクロフォン用カバーとして産業上利用することができる。
【符号の説明】
【００４１】
１０…マイクロフォン、１００…マイクロフォン用カバー、１１…マイク部、１２…風防ネット、１３…凸状連結部、１３ａ…凸部、１５…把持部、１６…スイッチ部、２０…マイク部カバー、２１…半球部、２１ａ…貫通孔、２２…嵌合部、３０…把持部カバー、３１…開口、３２…貫通孔、３３…飛散防止部、３５…マイク部カバー用被覆部、３６…開口部、４０…飛散防止部材、４１…把持部貫通孔、４１ａ…押圧部、４１ｂ…切欠部
【図１】
2022003771.tif 000003
【図２】
2022003771.tif 000004
【図３】
2022003771.tif 000005
【図４】
2022003771.tif 000006
【図５】
2022003771.tif 000007
【図６】
2022003771.tif 000008
【図７】
2022003771.tif 000009
【図８】
2022003771.tif 000010